(57)【要約】【課題】取扱い性が高い部品キャリア材の提供。【解決手段】リベットWの軸部W1を挿通しその頭部を吊下して支持する支持材10と、この支持材10で指示したリベットWの頭部上面W2bを保護する保護材20と、前記支持材10と前記保護材20との間に配された吸着材(31,32)とから構成される。前記保護材20は、その表面21および裏面22がそれぞれ剥離性の異なる特性を有している。つまり、前記表面21は前記吸着材に貼り付いた状態から剥がされると、前記吸着材を付着させ前記支持材10から取り除くように構成される一方、前記裏面22は、前記吸着材に貼り付いた状態から剥がされると、前記吸着材を前記支持材10側に残すように構成される。よって、前記保護材20の表面21および裏面22を使い分けることができるため、リベットWの保管あるいは取出しなど従来に比べて容易に行え、取扱いが容易である。【選択図】図３
2015227185.tif 000002
【特許請求の範囲】
【請求項１】
部品を支持する支持材と、この支持材の上面を覆うように配され前記部品を保護する保護材とを備え、前記保護材を取り除くまでは前記部品を保護する一方、前記保護材を取り除いた後は前記部品を取り出しできる部品キャリア材において、
前記支持材と前記保護材との間に所定の吸着力を有した吸着材を配し、
前記保護材は、その裏面が前記吸着材に接触するよう配され、
前記裏面は、取り除かれることにより前記吸着材をこれに付着させることなく前記支持材側に残すよう高い剥離性を備えていることを特徴とする部品キャリア材。
【請求項２】
前記保護材は、その表面が前記吸着材に接触するよう配され、
前記表面は、取り除かれることにより前記吸着材をこれに付着させて前記支持材から剥離する低い剥離性を備えていることを特徴とする請求項１に記載の部品キャリア材。
【請求項３】
前記吸着材は、前記部品に接触することで部品を吸着する部品吸着部と、前記保護材に接触することで保護材を吸着する保護材吸着部とに分かれて配され、
前記保護材は、前記支持材上に前記部品が存在しない際、前記裏面が前記部品吸着部および前記保護材吸着部の何れにも接触するように配される一方、前記支持材上に前記部品が存在する際、前記表面が前記保護材吸着部に接触するように配されて成ることを特徴とする請求項１または請求項２に記載の部品キャリア材。
【請求項４】
前記吸着材は、その両面がほぼ同一の吸着力に設定されて成ることを特徴とする請求項１ないし請求項３の何れかに記載の部品キャリア材。
【発明の詳細な説明】
【技術分野】
【０００１】
本発明は、ねじやリベット等の部品を複数個吊下した状態でかつ前記部品の頭部を保護する部品キャリア材に関する。
【背景技術】
【０００２】
従来の部品キャリア材は、特許文献１に示すように、部品の一例であるリベットを複数個吊下する支持材と、この支持材の上面側に配され前記部品の頭部を保護する保護材とから構成される。前記支持材は、前記リベットの頭部を完全に収納可能な所定の深さに設定され開口部が小さな凹部を備えており、前記凹部には、前記リベットの軸部を挿通可能な下穴が形成されている。これにより、前記支持材は、前記リベットの頭部を前記凹部で吊下可能となる。一方、前記保護材は、フィルム状に形成されており、前記支持材の上面に貼り付けられることで前記凹部に収納された前記リベットの頭部を保護しつつ前記支持材の上面から前記頭部が突出しないようリベットの軸方向の動きを規制する。よって、従来の部品キャリア材は、これを搬送等する際に前記リベットを脱落させることがないという特徴がある。また、前述のように所定の箇所へ搬送されると、前記保護材が前記支持材から取り出され、前記リベットはその頭部から上方へ取り出されワーク等へ組みつけられる。
【先行技術文献】
【特許文献】
【０００３】
【特許文献１】特開平05-149315号公報
【発明の概要】
【発明が解決しようとする課題】
【０００４】
しかしながら、従来の部品キャリア材は、前記支持材に前記凹部を配する必要があるため、前記リベットを複数吊下する場合であると前記凹部を吊下するリベットの数だけ配置しなければならない。よって、従来の部品キャリア材は、前記支持材の製作コストが増大する問題があった。
【０００５】
また、従来の部品キャリア材は、前記リベットが取り出される場合、エアの吸引により前記リベットを前記頭部側から吸引する吸引方式ではなく、前記頭部を挟持して摘み上げるピックアップ方式に採用され難い。これは、前記頭部を挟持する部材が前記凹部の狭い隙間に入り込む必要があるためであり、前記挟持する部材を小さな寸法としなければならず、ピックアップ方式には採用し難い問題もあった。
【課題を解決するための手段】
【０００６】
本発明は、上記課題に鑑みて創成されたものであり、安価かつ部品の取り出しに係る作業性が高い部品キャリア材の提供を目的とする。この目的を達成するために、部品を支持する支持材と、この支持材の上面を覆うように配され前記部品を保護する保護材とを備え、前記保護材を取り除くまでは前記部品を保護する一方、前記保護材を取り除いた後は前記部品を取り出しできる部品キャリア材において、前記支持材と前記保護材との間に所定の吸着力を有した吸着材を配し、前記保護材は、その裏面が前記吸着材に接触するよう配され、前記裏面は、取り除かれることにより前記吸着材をこれに付着させることなく前記支持材側に残すよう高い剥離性を備えていることを特徴とする。なお、前記保護材は、その表面が前記吸着材に接触するよう配され、前記表面は、取り除かれることにより前記吸着材をこれに付着させて前記支持材から剥離する低い剥離性を備えていることが望ましい。また、前記吸着材は、前記部品に接触することで部品を吸着する部品吸着部と、前記保護材に接触することで保護材を吸着する保護材吸着部とに分かれて配され、前記保護材は、前記支持材上に前記部品が存在しない際、前記裏面が前記部品吸着部および前記保護材吸着部の何れにも接触するように配される一方、前記支持材上に前記部品が存在する際、前記表面が前記保護材吸着部に接触するように配されて成ることが望ましい。さらに、前記吸着材は、その両面がほぼ同一の吸着力に設定されて成ることが望ましい。
【発明の効果】
【０００７】
本発明の部品キャリア材１は、前記支持材１０に従来のような凹部を配置する必要が無く平らな支持材１０に下穴１１を設けることで前記部品の一例であるリベットＷの頭部Ｗ２を前記支持材１０の上面側１０ａから突出させた状態で吊下できる。よって、従来のような凹部を設ける必要が無いため、前記支持材１０の製作に係るコストを低減できる利点がある。このように、本発明の部品キャリア材１は、従来のような深さが深くしかも開口部が狭い凹部ではなく、前記リベットＷの頭部Ｗ２を支持材１０の上面側１０ａから突出した状態で吊下して保持できる。よって、前記リベットＷを挟持して取り出すための部材を従来に比べて大きく設定できるため、上述したピックアップ方式に採用できる利点もある。さらに、本発明の部品キャリア材１は、図２に示すように前記保護材２０の裏面２２が前記吸着材である前記部品吸着部３１および前記保護材吸着部３２にそれぞれ接触するよう配された後、図３に示すように取り除かれる。この場合、前記裏面２２は、高い剥離性を備えて成るため、この裏面２２に前記部品吸着部３１および前記保護材吸着部３２が何れも付着して剥がされることなく前記支持材１０の上面側１０ａに残っている。よって、本発明の部品キャリア材１は、この後の過程において前記リベットＷを前記部品吸着部３１に貼り付けて保持できるため、前記リベットＷを前記支持材１０から脱落させることを低減できる利点もある。
【０００８】
また、本発明の部品キャリア材１は、図５に示すように前記保護材２０の表面２１が前記保護材吸着部３２に接触するよう配された後、図６に示すように取り除かれる。この場合、前記表面２１は、前記裏面よりも低い剥離性を備えて成るため、前記保護材吸着部３２がこの表面２１側に付着して剥がされる。つまり、前記保護材吸着部３２は、前記表面２１とともに前記支持材１０の上面から取り除かれるため、前記部品吸着部３１で保持したリベットＷをその上方から摘み上げ取り出す際、摘み上げる部材などが前記保護材吸着部３２に触れることがない。したがって、本発明の部品キャリア材１は、前記リベットＷの取り出し作業の際、前記保護材吸着部３２が前記支持材１０から既に取り除かれているため、例えば作業者の指などが前記保護材吸着部３２に触れることも無いことから前記支持材１０が所定の位置から位置ズレなどを起こし難く、リベットの取り出し時における作業性が高い利点もある。
【０００９】
さらに、本発明の部品キャリア材１は、前記保護材２０に接触する保護材吸着部３２と、前記吸着材が前記下穴１１の周囲に配され前記リベットＷの頭部座面Ｗ２に接触する前記部品吸着部３１とをそれぞれ個別に配置して成る。また、前記リベットＷを前記部品吸着部３１により吸着して保持している際、前記保護材２０の表面２１は、前記保護材吸着部３２に直接触れる一方、前記部品吸着部３１は前記頭部Ｗ２により隠されるためこの隠された部品吸着部３１には直接触れない。したがって、前記保護材２０を図６に示すように取り除いても前記頭部Ｗ２に隠れた前記部品吸着部３１は前記表面２１側に付着して剥がされるようなことがない。つまり、本発明の部品キャリア材１は、前記保護材２０の取り外し作業時におけるリベットＷの脱落がない利点もある。
【００１０】
また、本発明の部品キャリア材１は、前記部品吸着部３１の両面および前記保護材吸着部３２の両面が何れもほぼ同一の吸着力を有するため、これらを前記支持材１０の上面側１０ａに配置する際、貼り付ける方向性を注意する必要が無い利点もある。また、本発明の部品キャリア材１は、前記リベットＷの挿通前あるいは挿通後といった各工程に合わせて前記保護材２０の表面２１と裏面２２とを使い分けることにより、リベットＷの挿入前であればその裏面２２側を前記支持材１０の上面側１０ａに予め重ね合わせて１つのまとまりにして保管や管理ができるとともにリベットＷの取り出しに不要な前記保護材吸着部３２を前記保護材２０とともに取り外すことができ、取扱い面において非常に優れている利点もある。
【図面の簡単な説明】
【００１１】
【図１】本発明の一実施形態に係る部品キャリア材を示す平面図であり、リベットが組み込まれる前の状態を示すものである。
【図２】図１のＡ−Ａ線に係る拡大断面図である。
【図３】図２から保護材が剥がされる状態を示す断面図である。
【図４】本発明の一実施形態に係る部品キャリア材を示す平面図であり、リベットが組み込まれた後の状態を示すものである。
【図５】図４のＡ−Ａ線に係る拡大断面図である。
【図６】図５から保護材が剥がされる状態を示す断面図である。
【発明を実施するための形態】
【００１２】
以下、図１ないし図６に基づき本発明の一実施形態に係る部品キャリア材を順に説明する。まず、本発明の部品キャリア材１は、部品の一例であるリベットＷを複数個まとめて保持するものであり、前記リベットＷの組立作業を行う場合であれば、部品キャリア材１に保持されたリベットＷが作業者（図示せず）等により取り出される。なお、前記リベットＷは、所定の直径に寸法設定された軸部Ｗ１と、この軸部Ｗ１の直径よりも大きな直径に設定された頭部Ｗ２とから構成されている。
【００１３】
前記部品キャリア材１は、ＰＥＴ基材から生成された平らな透明シートである支持材１０と、この支持材１０の上面側１０ａを覆うように配された透明の保護材２０と、前記支持材１０と前記保護材２０との間に介在する吸着材（３１，３２）とを備えて成る。
【００１４】
前記吸着材は、図１に示すようにドーナツ状に形取られ所定の間隔を空けて複数配列された部品吸着部３１と、前記支持材１０の４隅に配された保護材吸着部３２とから構成されており、これらは何れも所定の吸着力を備えた両面テープで構成される。
【００１５】
前記部品吸着部３１および前記保護材吸着部３２は、それぞれ所定の数だけ前記支持材１０の上面側１０ａに配されており、何れも同等の厚さに設定されている。また、前記部品吸着部３１および前記保護材吸着部３２の両面は何れもほぼ同一の吸着力に設定されている。
【００１６】
前記部品吸着部３１は、前記リベットＷの頭部Ｗ２の直径を超えない最大径に設定されており、さらに、前記軸部Ｗ１を挿通可能な下穴３１ａが形成されている。よって、前記リベットＷの頭部座面Ｗ２ａが前記部品吸着部３１に接触し貼り付けられるため、前記リベットＷは、前記下穴１１，３１ａから抜け出し前記支持材１０から脱落することがない。
【００１７】
前記保護材吸着部３２は、図１に示すように長方形に形取られて形成され、複数配された前記部品吸着部３１を取り囲むように配されており、自身の吸着力によって前記保護材２０を保持可能に構成される。
【００１８】
前記支持材１０は、図２に示すように、これの厚み方向へ貫通した下穴１１を備えており、この下穴１１は前記部品吸着部３１の前記下穴３１ａと連通し、前記下穴１１および前記下穴３１ａが何れも同一の穴径に設定されている。
【００１９】
前記保護材２０は、前記支持材１０と同様にＰＥＴ基材から生成された平らな透明シートから成る。また、その裏面２２は、図２に示すように前記支持材１０に貼り付けられた前記保護材吸着部３２および前記部品吸着部３１に接触していた後、図３に示すように取り除かれることで前記保護材吸着部３２および前記部品吸着部３１が前記支持材１０の上面側１０ａに残るように構成される。一方、その表面２１は、図５に示すように前記支持材１０に貼り付けられた前記保護材吸着部３２と接触していた後、図６に示すように取り除かれることで前記保護材吸着部３２を前記支持材１０から取り除けるように構成されている。つまり、前記保護材２０は、その表面２１および裏面２２がそれぞれ異なる剥離性を備えており、図２に示すようなリベットＷを挟み込まない場合であれば、前記裏面２２が前記支持材１０の上面側１０ａに向き合うよう取り付けられ、逆に図５に示すようなリベットＷを挟み込む場合であれば、前記表面２１が前記支持材１０の上面側１０ａに向き合うように取り付けられる。
【００２０】
このように構成される部品キャリア材１の作用について説明する。本発明の部品キャリア材１は、当初は図２に示すように前記支持材１０の上面側１０ａに前記部品吸着部３１および前記保護材吸着部３２が貼り付けられ、さらに、これら部品吸着部３１および前記保護材吸着部３２に前記保護材２０が貼り付けられて保持される。また、前記保護材２０の裏面２２は、上述のように前記表面２１よりも剥離性の高い特性を有しており、この裏面２２が前記支持材１０の上面側１０ａに向き合うよう配され前記吸着材に貼り付き固定されている。よって、この部品キャリア材１は、前記リベットＷを挿通する前の前記保護材２０を前記支持材１０に取り付けた状態で１つのまとまりとして保管や管理ができる特徴がある。
【００２１】
次に、この部品キャリア材１に前記リベットＷを挿通するため、前記保護材２０が作業者（図示せず）等によって図３に示すように剥がされる。しかし、上述した通り前記裏面２２が剥離性の高い特性を備えているため、これに貼り付いていた前記部品吸着部３１および前記保護材吸着部３２は、何れも前記支持材１０から剥がされることなくこれら全てが前記支持材１０の上面側１０ａに貼り付いている。したがって、本発明の部品キャリア材１は、前記リベットＷの頭部座面Ｗ２ａを保持するための前記部品吸着部３１や前記保護材２０を保持するための前記保護材吸着部３２が何れも前記支持材１０から除かれることがない。よって、取扱い面で優れている特徴がある。
【００２２】
また、上述したように前記保護材２０が剥がされると、前記リベットＷが前記支持材１０の下穴１１へ順次供給され、この後、図４および図５に示すように前記リベットＷの頭部上面Ｗ２ｂを覆うように前記保護材２０が取り付けられる。この時、前記保護材２０は、その表面２１が前記支持材１０の上面側１０ａに向き合うように取り付けられ、前記保護材吸着部３２の吸着力によって保持される。よって、前記リベットＷの頭部上面Ｗ２ｂは、前記保護材２０によって保護されるため、前記部品キャリア材１を搬送するなどしても傷が付きにくく、しかも、前記保護材２０は、前記保護材吸着部３２によって保持されるので搬送時に前記支持材１０から剥がれ難い。
【００２３】
一方、前記保護材２０は、上述したようにその表面２１に前記吸着材を貼り付けた状態で前記支持材１０から剥がせる剥離性を有している。これにより、前記保護材２０は、前記頭部上面Ｗ２ｂを保護している図５の状態から図６のように取り除かれると、前記表面２１に前記保護材吸着部３２を付着させた状態で前記支持材１０から取り除かれる。よって、作業者等により前記リベットＷを取り出す場合、支持材１０の上面側１０ａに粘着面がむき出しとなる前記保護材吸着部３２を残すことが無いので作業者は、前記保護材吸着部３２に触れることがなく、これによる前記支持材１０の位置ズレなどの不具合が低減する。
【００２４】
なお、本実施形態において、前記部品吸着部３１および前記保護材吸着部３２は、何れも両面テープとしたがこれに限定されることはなく、例えば、シート状の磁石としてもよく、この場合、前記支持材１０、前記保護材２０、前記部品の材質を磁気が帯びる材質とすればよい。また、前記部品は、頭部Ｗを備えたリベットＷとしたがこれに限定されることはなく、例えば、樹脂材あるいは金属から成るワッシャ（図示せず）などであってもよい。
【符号の説明】
【００２５】
１    部品キャリア材
１０    支持材
１０ａ  上面側
１１    下穴
２０    保護材
２１    表面
２２    裏面
３１    部品吸着部
３１ａ  下穴
３２    保護材吸着部
Ｗ      リベット
Ｗ１    軸部
Ｗ２    頭部
Ｗ２ａ  頭部座面
Ｗ２ｂ  頭部上面
【図１】
2015227185.tif 000003
【図２】
2015227185.tif 000004
【図３】
2015227185.tif 000005
【図４】
2015227185.tif 000006
【図５】
2015227185.tif 000007
【図６】
2015227185.tif 000008